【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
記録対象領域と該記録対象領域の周辺領域を含む画像を取得可能な取得手段と、
前記取得手段が前記周辺領域を含まない記録対象領域の画像を取得する第１のモードと、前記取得手段が前記周辺領域を含む画像を取得する第２のモードとを切り替え可能な切り替え手段と、
前記取得手段で取得した画像をリサイズするリサイズ手段と、
前記第１のモードである場合、前記取得手段で取得した画像のうち第１の範囲を所定のアスペクト比となるように前記リサイズ手段がリサイズした映像を含む第１の映像信号を生成し、
前記第２のモードである場合、前記取得手段で取得した画像のうち前記第１の範囲と異なる第２の範囲を、前記第２の範囲に含まれる記録対象領域のリサイズ後のアスペクト比が、前記所定のアスペクト比となるように前記リサイズ手段がリサイズした映像を含む第２の映像信号を生成するように制御する制御手段と
を有することを特徴とする画像処理装置。
【請求項２】
前記リサイズ手段は、横方向と縦方向とで異なる変倍率のリサイズを行うことを特徴とする請求項１に記載の画像処理装置。
【請求項３】
前記リサイズ手段は、デスクイーズ処理を行うことを特徴とする請求項１または２に記載の画像処理装置。
【請求項４】
前記第１のモードである場合に前記第１の映像信号を表示手段に表示し、前記第２のモードである場合に前記第２の映像信号を前記表示手段に表示するように制御する表示制御手段をさらに有することを特徴とする請求項１乃至３の何れか１項に記載の画像処理装置。
【請求項５】
前記リサイズ手段による横方向と縦方向とで異なる変倍率のリサイズを行わずに映像を表示する第１の設定と、前記リサイズ手段による横方向と縦方向とで異なる変倍率のリサイズを行って映像を表示する第２の設定との少なくとも何れかを設定可能な設定手段と、前記表示制御手段は、前記第１のモードでかつ前記第２の設定の場合に前記第１の映像信号を表示手段に表示し、前記第２のモードでかつ前記第２の設定の場合に前記第２の映像信号を前記表示手段に表示するように制御することを特徴とする請求項４に記載の画像処理装置。
【請求項６】
前記設定手段は、デスクイーズ処理を行うか否かを設定する手段であることを特徴とする請求項５に記載の画像処理装置。
【請求項７】
前記第１のモードは、サラウンド表示を行わないモードであり、前記第２のモードはサラウンド表示を行うモードであることを特徴とする請求項１乃至６のいずれか１項に記載の画像処理装置。
【請求項８】
前記画像は撮像手段によって撮像された画像であり、
前記第２の範囲の横方向の範囲が対応する撮像範囲は、前記第１の範囲に含まれる記録対象領域の横方向の範囲が対応する撮像範囲と同じであることを特徴とする請求項１乃至７のいずれか１項に記載の画像処理装置。
【請求項９】
前記画像はアナモフィックレンズを用いて撮像された画像であることを特徴とする請求項１乃至８のいずれか１項に記載の画像処理装置。
【請求項１０】
アナモフィックレンズを装着可能なレンズ装着部と、
撮像手段と、を更に有し、
前記取得手段は前記撮像手段で撮像された画像を取得することを特徴とする請求項１乃至９のいずれか１項に記載の画像処理装置。
【請求項１１】
前記第１の映像信号と前記第２の映像信号は同じサイズであることを特徴とする請求項１乃至１０のいずれか１項に記載の画像処理装置。
【請求項１２】
記録対象領域と該記録対象領域の周辺領域を含む画像を取得可能な取得ステップと、
前記取得ステップが前記周辺領域を含まない記録対象領域の画像を取得する第１のモードと、前記取得ステップが前記周辺領域を含む画像を取得する第２のモードとを切り替え可能な切り替えステップと、
前記取得ステップで取得した画像をリサイズするリサイズステップと、
前記第１のモードである場合、前記取得ステップで取得した画像のうち第１の範囲を所定のアスペクト比となるように前記リサイズステップがリサイズした映像を含む第１の映像信号を生成し、
前記第２のモードである場合、前記取得ステップで取得した画像のうち前記第１の範囲と異なる第２の範囲を、前記第２の範囲に含まれる記録対象領域のリサイズ後のアスペクト比が、前記所定のアスペクト比となるように前記リサイズステップがリサイズした映像を含む第２の映像信号を生成するように制御する制御ステップと
を有することを特徴とする画像処理装置の制御方法。
【請求項１３】
記録対象領域と該記録対象領域の周辺領域を含む画像を取得可能な取得手段と、
前記取得手段が前記周辺領域を含まない記録対象領域の画像を取得する第１のモードと、前記取得手段が前記周辺領域を含む画像を取得する第２のモードとを切り替え可能な切り替え手段と、
前記取得手段で取得した画像をリサイズするリサイズ手段と、
前記取得手段で取得した画像のうち所定の範囲を所定のアスペクト比となるように前記リサイズ手段がリサイズした映像を生成するように制御する制御手段と、
前記第２のモードである場合、前記映像のうち、前記記録対象領域に対応する領域のうち、前記第１のモードで表示されない範囲を、前記周辺領域に対応する領域と識別可能に前記映像を表示するように制御する表示制御手段と
を有することを特徴とする画像処理装置。
【請求項１４】
記録対象領域と該記録対象領域の周辺領域を含む画像を取得可能な取得ステップと、
前記取得ステップが前記周辺領域を含まない記録対象領域の画像を取得する第１のモードと、前記取得ステップが前記周辺領域を含む画像を取得する第２のモードとを切り替え可能な切り替えステップと、
前記取得ステップで取得した画像をリサイズするリサイズステップと、
前記取得ステップで取得した画像のうち所定の範囲を所定のアスペクト比となるように前記リサイズステップがリサイズした映像を生成するように制御する制御ステップと、
前記第２のモードである場合、前記映像のうち、前記記録対象領域に対応する領域のうち、前記第１のモードで表示されない範囲を、前記周辺領域に対応する領域と識別可能に前記映像を表示するように制御する表示制御ステップと
を有することを特徴とする画像処理装置の制御方法。
【請求項１５】
コンピュータを、請求項１乃至１１、１３のいずれか１項に記載された画像処理装置の各手段として機能させるためのプログラム。
【請求項１６】
コンピュータを、請求項１乃至１１、１３のいずれか１項に記載された画像処理装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上記課題を解決するために、本発明の画像処理装置は、
記録対象領域と該記録対象領域の周辺領域を含む画像を取得可能な取得手段と、
前記取得手段が前記周辺領域を含まない記録対象領域の画像を取得する第１のモードと、前記取得手段が前記周辺領域を含む画像を取得する第２のモードとを切り替え可能な切り替え手段と、
前記取得手段で取得した画像をリサイズするリサイズ手段と、
前記第１のモードである場合、前記取得手段で取得した画像のうち第１の範囲を所定のアスペクト比となるように前記リサイズ手段がリサイズした映像を含む第１の映像信号を生成し、
前記第２のモードである場合、前記取得手段で取得した画像のうち前記第１の範囲と異なる第２の範囲を、前記第２の範囲に含まれる記録対象領域のリサイズ後のアスペクト比が、前記所定のアスペクト比となるように前記リサイズ手段がリサイズした映像を含む第２の映像信号を生成するように制御する制御手段と
を有することを特徴とする。